(57)【要約】【課題】光ピックアップ装置又は同装置で用いる光出力制御回路の信頼性を向上させること。【解決手段】本発明では、参照信号を増減するための参照信号増減回路と、同参照信号増減回路から出力される参照信号を目標信号に変換する目標信号変換回路と、光照射装置から記録媒体に照射する光量に応じた電気信号を比較信号に変換する比較信号変換回路と、前記目標信号と比較信号とを比較することによって、前記光照射装置から照射する光量を制御するための制御信号を生成する制御信号生成回路とを有する光出力制御回路において、前記目標信号変換回路及び比較信号変換回路は、参照信号増減回路による参照信号の増加又は減少に連動して変換時の増幅率を減少又は増加するように構成することにした。【選択図】      図１
2004234765.tif 000002
【特許請求の範囲】
【請求項１】
参照信号を増減するための参照信号増減回路と、同参照信号増減回路から出力される参照信号を目標信号に変換する目標信号変換回路と、光照射装置から記録媒体に照射する光量に応じた電気信号を比較信号に変換する比較信号変換回路と、前記目標信号と前記比較信号とを比較することによって、前記光照射装置から照射する光量を制御するための制御信号を生成する制御信号生成回路とを有する光出力制御回路において、
前記目標信号変換回路及び前記比較信号変換回路は、前記参照信号増減回路による前記参照信号の増加又は減少に連動して変換時の増幅率を減少又は増加するように構成したことを特徴とする光出力制御回路。
【請求項２】
前記参照信号増減回路に前記参照信号を調整するための参照信号調整回路を設けたことを特徴とする請求項１記載の光出力制御回路。
【請求項３】
記録媒体に光を照射する光照射装置と、同光照射装置から照射された光量を検出して電気信号に変換する受光装置と、前記電気信号を比較信号に変換する比較信号変換回路と、参照信号を増減するための参照信号増減回路と、同参照信号増減回路から出力される前記参照信号を目標信号に変換する目標信号変換回路と、前記目標信号と前記比較信号とを比較することによって、前記光照射装置から照射する光量を制御するための制御信号を生成する制御信号生成回路とを有する光ピックアップ装置において、
前記目標信号変換回路及び前記比較信号変換回路は、前記参照信号増減回路による前記参照信号の増加又は減少に連動して変換時の増幅率を減少又は増加するように構成したことを特徴とする光ピックアップ装置。
【請求項４】
前記参照信号増減回路に前記参照信号を調整するための参照信号調整回路を設けたことを特徴とする請求項３記載の光ピックアップ装置。
【請求項５】
記録媒体に光を照射する光照射装置と、同光照射装置から照射された光量を検出して電気信号に変換する受光装置と、前記電気信号を比較信号に変換する比較信号変換回路と、参照信号を増減するための参照信号増減回路と、同参照信号増減回路から出力される前記参照信号を目標信号に変換する目標信号変換回路と、前記目標信号と前記比較信号とを比較することによって、前記光照射装置から照射する光量を制御するための制御信号を生成する制御信号生成回路とを有する光ピックアップ装置を具備する光ディスク装置において、
前記目標信号変換回路及び前記比較信号変換回路は、前記参照信号増減回路による前記参照信号の増加又は減少に連動して変換時の増幅率を減少又は増加するように構成したことを特徴とする光ディスク装置。
【請求項６】
前記参照信号増減回路に前記参照信号を調整するための参照信号調整回路を設けたことを特徴とする請求項５記載の光ディスク装置。
【発明の詳細な説明】
【０００１】
【発明の属する技術分野】
本発明は、光出力制御回路及び同回路を有する光ピックアップ装置に関するものである。
【０００２】
【従来の技術】
近年、使用者が大量のデータを書込むことができる大容量の記録媒体として、ＣＤ−ＲやＤＶＤ−Ｒなどの追記型光ディスクやＣＤ−ＲＷやＤＶＤ−ＲＷなどの書換え型光ディスクが広く使用されている。
【０００３】
これらの光ディスクは、表面の記録膜に光を照射することにより記録膜を相変化させることによって、データを書込むようになっている。
【０００４】
そして、光ディスクへのデータ書込みには、光ディスク装置に設けた光ピックアップ装置が利用されている。
【０００５】
かかる光ピックアップ装置は、図４に示すような構成となっていた。すなわち、光ピックアップ装置１０１は、概略、光学手段１０２と制御手段１０３とから構成しており、制御手段１０３によって光学手段１０２から記録媒体（光ディスク）１０４に照射する書込み用のレーザ光の光量を制御しながら、記録媒体１０４にデータを書込むようにしている（たとえば、特許文献１又は特許文献２参照）。
【０００６】
具体的には、光学手段１０２は、レーザ光を記録媒体（光ディスク）１０４に照射するための光照射装置１０５と、同光照射装置１０５から照射される光量を検出するための受光装置１０６とから構成している。
【０００７】
光照射装置１０５は、制御手段１０３から出力される制御信号Ｓ１０１に基づいてレーザダイオード１０７から所定量のレーザ光を照射し、レーザダイオード１０７から照射されたレーザ光をビームスプリッタ１０８で分光して、一部のレーザ光を受光装置１０６に向けて照射する一方、残りのレーザ光をコリメータレンズ１０９や対物レンズ１１０を介して記録媒体１０４に向けて照射するように構成している。
【０００８】
また、受光装置１０６は、ビームスプリッタ１０８で分光されたレーザ光を集光レンズ１１１で集光するとともに、そのレーザ光の光量をフォトダイオード１１２で光量に応じた電流値を有する電気信号Ｓ１０２に変換するように構成している。
【０００９】
一方、制御手段１０３は、電気信号Ｓ１０２に基づいて制御信号Ｓ１０１を生成する光出力制御回路１１３で構成している。
【００１０】
かかる光出力制御回路１１３は、参照信号Ｓ１０３を増減するための参照信号増減回路１１４と、この参照信号増減回路１１４から出力される電流信号である参照信号Ｓ１０３を電圧信号である目標信号Ｓ１０４に変換する目標信号変換回路１１５と、電流信号である電気信号Ｓ１０２を電圧信号である比較信号Ｓ１０５に変換する比較信号変換回路１１６と、これらの目標信号Ｓ１０４と比較信号Ｓ１０５とを比較することによって制御信号Ｓ１０１を生成する制御信号生成回路１１７とから構成している。
【００１１】
具体的には、参照信号増減回路１１４は、参照信号生成回路１１８に可変抵抗ＶＲ１０１を接続し、同可変抵抗ＶＲ１０１の抵抗値を増減することによって参照信号生成回路１１８で生成する参照信号Ｓ１０３の電流値を増減するようにしている。
【００１２】
また、目標信号変換回路１１５は、電流電圧変換回路で構成しており、参照信号増減回路１１４から入力される参照信号Ｓ１０３をその電流値に対応した電圧値を有する目標信号Ｓ１０４に一定の増幅率で変換するようにしている。
【００１３】
また、比較信号変換回路１１６も、電流電圧変換回路で構成しており、電気信号Ｓ１０２をその電流値に対応した電圧値を有する比較信号Ｓ１０５に一定の増幅率で変換するようにしている。
【００１４】
制御信号生成回路１１７は、誤差増幅回路１１９と電圧電流変換回路１２０と出力回路１２１とを直列接続して構成しており、誤差増幅回路１１９で目標信号Ｓ１０４と比較信号Ｓ１０５とを比較するとともに、その差分の電圧信号を電圧電流変換回路１２０で電流信号に変換し、その後、出力回路１２１から光学手段１０２の光照射装置１０５に制御信号Ｓ１０１を出力するようにしている。
【００１５】
そして、上記従来の光ピックアップ装置１０１では、製品仕様ごとに異なる所定光量のレーザ光を光照射装置１０５から記録媒体１０４に向けて照射できるようにするために、光ピックアップ装置１０１を出荷する前に参照信号増減回路１１４に設けた可変抵抗ＶＲ１０１を調整することによって、制御信号Ｓ１０１の大きさを調整していた。
【００１６】
【特許文献１】
特開２００２−５７４０３号公報
【００１７】
【特許文献２】
特開２００１−２０２６４５号公報
【００１８】
【発明が解決しようとする課題】
ところが、近年の電子機器の多様化に伴って、光照射装置１０５から記録媒体１０４に向けて照射する光量の製品仕様も多様化しており、上記従来の光ピックアップ装置１０１では、すべての製品仕様を満足することが困難であった。
【００１９】
これは、上記従来の光ピックアップ装置１０１では、目標信号変換回路１１５及び比較信号変換回路１１６において、一定の増幅率で電流信号を電圧信号に変換していたためである。
【００２０】
すなわち、光照射装置１０５から照射される光量が増大すると、受光装置１０６から出力される電気信号Ｓ１０２も増大し、従来の光ピックアップ装置１０１では電気信号Ｓ１０２を一定の増幅率で比較信号Ｓ１０５に変換していたために、この比較信号Ｓ１０５も光量に応じて増大してしまい、それに伴って当然に目標信号Ｓ１０４も増大し、これにより、誤差増幅回路１１９に入力される目標信号Ｓ１０４及び比較信号Ｓ１０５の振幅が誤差増幅回路１１９の入力ダイナミックレンジを超えてしまい、誤差増幅回路１１９が良好に動作しなくなるおそれがあった。
【００２１】
また、光照射装置１０５から照射される光量を増大した場合には、その光量に適合するように光照射装置１０５の出力感度や受光装置１０６の入力感度を変更する必要があり、その場合には、従来の光ピックアップ装置１０１では電気信号Ｓ１０２を一定の増幅率で比較信号Ｓ１０５に変換していたために、光照射装置１０５と受光装置１０６と比較信号変換回路１１６と制御信号生成回路１１７とで形成されるループの実質的なゲインが変更されることになり、それに伴って制御信号生成回路１１７の周波数特性や位相特性も変更されてしまい、制御信号生成回路１１７から光照射装置１０５に制御信号Ｓ１０１を精度良く出力することができなくなり、光ピックアップ装置１０１が良好に動作しなくなるおそれがあった。
【００２２】
【課題を解決するための手段】
そこで、請求項１に係る本発明では、参照信号を増減するための参照信号増減回路と、同参照信号増減回路から出力される参照信号を目標信号に変換する目標信号変換回路と、光照射装置から記録媒体に照射する光量に応じた電気信号を比較信号に変換する比較信号変換回路と、前記目標信号と比較信号とを比較することによって、前記光照射装置から照射する光量を制御するための制御信号を生成する制御信号生成回路とを有する光出力制御回路において、前記目標信号変換回路及び比較信号変換回路は、参照信号増減回路による参照信号の増加又は減少に連動して変換時の増幅率を減少又は増加するように構成することにした。
【００２３】
また、請求項２に係る本発明では、前記請求項１に係る本発明において、前記参照信号増減回路に参照信号を調整するための参照信号調整回路を設けることにした。
【００２４】
また、請求項３に係る本発明では、記録媒体に光を照射する光照射装置と、同光照射装置から照射された光量を検出して電気信号に変換する受光装置と、前記電気信号を比較信号に変換する比較信号変換回路と、参照信号を増減するための参照信号増減回路と、同参照信号増減回路から出力される参照信号を目標信号に変換する目標信号変換回路と、前記目標信号と比較信号とを比較することによって、前記光照射装置から照射する光量を制御するための制御信号を生成する制御信号生成回路とを有する光ピックアップ装置において、前記目標信号変換回路及び比較信号変換回路は、参照信号増減回路による参照信号の増加又は減少に連動して変換時の増幅率を減少又は増加するように構成することにした。
【００２５】
また、請求項４に係る本発明では、前記請求項３に係る本発明において、前記参照信号増減回路に参照信号を調整するための参照信号調整回路を設けることにした。
【００２６】
また、請求項５に係る本発明では、記録媒体に光を照射する光照射装置と、同光照射装置から照射された光量を検出して電気信号に変換する受光装置と、前記電気信号を比較信号に変換する比較信号変換回路と、参照信号を増減するための参照信号増減回路と、同参照信号増減回路から出力される前記参照信号を目標信号に変換する目標信号変換回路と、前記目標信号と前記比較信号とを比較することによって、前記光照射装置から照射する光量を制御するための制御信号を生成する制御信号生成回路とを有する光ピックアップ装置を具備する光ディスク装置において、前記目標信号変換回路及び前記比較信号変換回路は、前記参照信号増減回路による前記参照信号の増加又は減少に連動して変換時の増幅率を減少又は増加するように構成することにした。
【００２７】
また、請求項６に係る本発明では、前記請求項５に係る本発明において、前記参照信号増減回路に前記参照信号を調整するための参照信号調整回路を設けることにした。
【００２８】
【発明の実施の形態】
本発明に係る光ピックアップ装置１は、図１に示すように、光学手段２と制御手段３とから構成しており、制御手段３によって光学手段２から記録媒体４に向けて照射するレーザ光の光量を制御するようにしている。かかる光ピックアップ装置１は、光ディスク装置に内蔵されるものである。
【００２９】
以下に光学手段２及び制御手段３の具体的な構成について説明する。
【００３０】
光学手段２は、レーザ光を記録媒体４に照射するための光照射装置５と、同光照射装置５から照射される光量を検出するための受光装置６とから構成している。
【００３１】
そして、光照射装置５は、制御手段３から出力される制御信号Ｓ１に基づいてレーザダイオード７から所定量のレーザ光を照射し、レーザダイオード７から照射されたレーザ光をビームスプリッタ８で分光して、一部のレーザ光を受光装置６に向けて照射する一方、残りのレーザ光をコリメータレンズ９と対物レンズ１０とを介して記録媒体４に向けて照射するように構成している。
【００３２】
また、受光装置６は、ビームスプリッタ８で分光されたレーザ光を集光レンズ１１で集光するとともに、そのレーザ光の光量をフォトダイオード１２で光量に応じた電流値を有する電気信号Ｓ２に変換するように構成している。
【００３３】
一方、制御手段３は、電気信号Ｓ２に基づいて制御信号Ｓ１を生成する光出力制御回路１３で構成している。
【００３４】
かかる光出力制御回路１３は、参照信号Ｓ３を増減するための参照信号増減回路１４と、この参照信号増減回路１４から出力される電流信号である参照信号Ｓ３を電圧信号である目標信号Ｓ４に変換する目標信号変換回路１５と、電流信号である電気信号Ｓ２を電圧信号である比較信号Ｓ５に変換する比較信号変換回路１６と、これらの目標信号Ｓ４と比較信号Ｓ５とを比較することによって制御信号Ｓ１を生成する制御信号生成回路１７とから構成している。
【００３５】
そして、参照信号増減回路１４は、参照信号生成回路１８に可変抵抗ＶＲ１を接続し、同可変抵抗ＶＲ１の抵抗値を増減することによって参照信号生成回路１８で生成する参照信号Ｓ３の電流値を増減し、さらに、その参照信号Ｓ３を参照信号調整回路２２で調整して調整参照信号Ｓ６として出力するようにしている。なお、参照信号生成回路１８では、可変抵抗ＶＲ１の抵抗値を増大した場合に、参照信号Ｓ３の電流値が直線的に減少するように構成している。また、本光ピックアップ装置１では、参照信号Ｓ３を参照信号調整回路２２で調整した後の調整参照信号Ｓ６を目標信号変換回路１５に入力しているが、従来技術で説明したように、参照信号Ｓ３を直接に目標信号変換回路１５に入力する構成としてもよい。
【００３６】
かかる参照信号調整回路２２は、具体的にはＤ／Ａコンバータで構成しており、参照信号Ｓ３をＤ／Ａコンバータのフルスケール電圧として用い、外部から入力される調整用のディジタル信号Ｓ７に基づいてＤ／Ａコンバータから参照信号Ｓ３をα倍した調整参照信号Ｓ６を出力するようにしている。
【００３７】
このように、光ピックアップ装置１では、出荷前に参照信号増減回路１４に設けた可変抵抗ＶＲ１を調整することによって、制御信号Ｓ１の大きさを調整して、製品仕様ごとに異なる所定光量のレーザ光を光照射装置５から記録媒体４に向けて照射できるようにして、また、使用時に参照信号増減回路１４に設けた参照信号調整回路２２で参照信号Ｓ３を調整することによって、光照射装置５から記録媒体４に向けて照射するレーザ光の光量を微調整できるようにしている。
【００３８】
また、目標信号変換回路１５は、電流電圧変換回路で構成しており、参照信号増減回路１４から入力される調整参照信号Ｓ６をその電流値に対応した電圧値を有する目標信号Ｓ４に所定の増幅率で変換するようにしている。かかる目標信号変換回路１５は、参照信号増減回路２２による参照信号Ｓ３の増加又は減少に連動して変換時の増幅率を減少又は増加するように構成しており、具体的な回路構成については後述する。
【００３９】
また、比較信号変換回路１６も、電流電圧変換回路で構成しており、電気信号Ｓ２をその電流値に対応した電圧値を有する比較信号Ｓ５に所定の増幅率で変換するようにしている。かかる比較信号変換回路１６は、参照信号増減回路２２による参照信号Ｓ３の増加又は減少に連動して変換時の増幅率を減少又は増加するように構成しており、具体的な回路構成については後述する。
【００４０】
制御信号生成回路１７は、誤差増幅回路１９と電圧電流変換回路２０と出力回路２１とを直列接続して構成しており、誤差増幅回路１９で目標信号Ｓ４と比較信号Ｓ５とを比較するとともに、その差分の電圧信号を電圧電流変換回路２０で電流信号に変換し、その後、出力回路２１から光学手段２の光照射装置５に制御信号Ｓ１を出力するようにしている。
【００４１】
以下に、目標信号変換回路１５及び比較信号変換回路１６の具体的な回路構成について図２に基づいて説明する。
【００４２】
図２に示すように、目標信号変換回路１５と比較信号変換回路１６には、変換時の増幅率を制御するための増幅率制御回路２３が接続されており、かかる増幅率制御回路２３は、電圧源Ｅ１の正極に一対のダイオードＰ１，Ｐ２のアノード端子を並列接続し、これらのダイオードＰ１，Ｐ２のカソード端子に一対の電流源Ｉ１，Ｉ２を直列接続し、これらの電流源Ｉ１，Ｉ２にグランド端子ＧＮＤを接続しており、電流源Ｉ２には、一定のベース電流Ｉｉｎを生成するベース電流生成回路２４を直接接続して、電流源Ｉ２で一定のベース電流Ｉｉｎを通電するようにし、一方、電流源Ｉ１には、参照信号Ｓ３による電流Ｉｃｏｎｔとベース電流生成回路２４で生成したベース電流Ｉｉｎとの差電流Ｉｃｏｎｔ−Ｉｉｎを生成する差電流生成回路２５を接続して、電流源Ｉ１で参照信号Ｓ３の増減に応じて増減する差電流Ｉｃｏｎｔ−Ｉｉｎを通電するようにしている。
【００４３】
そのため、増幅率制御回路２３では、差電流Ｉｃｏｎｔ−Ｉｉｎとベース電流Ｉｉｎとの比でダイオードＰ１，Ｐ２のカソード端子から出力される増幅率制御信号Ｓ８，Ｓ９の電圧が決定されることになり、差電流Ｉｃｏｎｔ−Ｉｉｎとベース電流Ｉｉｎとの比は、可変抵抗ＶＲ１で増減される参照信号Ｓ３の大きさで決定される。すなわち、可変抵抗ＶＲ１で増減される参照信号Ｓ３の大きさで、増幅率制御信号Ｓ８，Ｓ９の電圧が決定される。
【００４４】
また、目標信号変換回路１５は、電源端子ＶＣＣに定電流源Ｉ３を接続し、同定電流源Ｉ３に一対のＰＮＰ型のトランジスタＰ３，Ｐ４のエミッタ端子を並列接続するとともに、これらトランジスタＰ３，Ｐ４のエミッタ端子に参照信号調整回路２２を接続しており、トランジスタＰ３は、ベース端子にダイオードＰ１のカソード端子を接続するとともに、コレクタ端子にグランド端子ＧＮＤを接続し、一方、トランジスタＰ４は、ベース端子にダイオードＰ２のカソード端子を接続するとともに、コレクタ端子にグランド端子ＧＮＤを抵抗Ｒ１を介して接続し、さらには、コレクタ端子に誤差増幅回路１９の正転入力端子を接続している。
【００４５】
そして、目標信号変換回路１５では、トランジスタＰ３，Ｐ４のベース端子にダイオードＰ１，Ｐ２のカソード端子が接続されているために、トランジスタＰ３，Ｐ４のベース端子の電圧がダイオードＰ１，Ｐ２のカソード端子から出力される増幅率制御信号Ｓ８，Ｓ９の電圧となり、これらの電圧の比、すなわち、差電流Ｉｃｏｎｔ−Ｉｉｎとベース電流Ｉｉｎとの比で定電流源Ｉ３から通電される電流Ｉｘと調整参照信号Ｓ６の電流Ｉｒｅｆとの総和電流Ｉｘ＋Ｉｒｅｆを電流Ｉｂと電流Ｉａとに分配してトランジスタＰ３，Ｐ４に通電し、分流された電流Ｉａと抵抗Ｒ１とで決定される電圧値を有する目標信号Ｓ４を制御信号生成回路１７の誤差増幅回路１９に出力する。
【００４６】
ここで、前述したように差電流Ｉｃｏｎｔ−Ｉｉｎとベース電流Ｉｉｎとの比が可変抵抗ＶＲ１で増減される参照信号Ｓ３の大きさで決定されることから、電流Ｉｂと電流Ｉａとの分配比（還元すれば、電流Ｉａの大きさ）も参照信号Ｓ３の大きさで決定され、これにより、可変抵抗ＶＲ１で増減される参照信号Ｓ３の大きさで、目標信号変換回路１５での変換時の増幅率が決定されることになる。
【００４７】
また、比較信号変換回路１６は、電源端子ＶＣＣに定電流源Ｉ４を接続し、同定電流源Ｉ４に一対のＰＮＰ型のトランジスタＰ５，Ｐ６のエミッタ端子を並列接続するとともに、これらトランジスタＰ５，Ｐ６のエミッタ端子にフォトダイオード１２を接続しており、トランジスタＰ５は、ベース端子にダイオードＰ１のカソード端子を接続するとともに、コレクタ端子にグランド端子ＧＮＤを接続し、一方、トランジスタＰ６は、ベース端子にダイオードＰ２のカソード端子を接続するとともに、コレクタ端子にグランド端子ＧＮＤを抵抗Ｒ２を介して接続し、さらには、コレクタ端子に誤差増幅回路１９の反転入力端子を接続している。
【００４８】
そして、比較信号変換回路１６では、トランジスタＰ５，Ｐ６のベース端子にダイオードＰ１，Ｐ２のカソード端子が接続されているために、トランジスタＰ５，Ｐ６のベース端子の電圧がダイオードＰ１，Ｐ２のカソード端子から出力される増幅率制御信号Ｓ８，Ｓ９の電圧となり、これらの電圧の比、すなわち、差電流Ｉｃｏｎｔ−Ｉｉｎとベース電流Ｉｉｎとの比で定電流源Ｉ４から通電される電流Ｉｘ’と電気信号Ｓ２の電流Ｉｐｄとの総和電流Ｉｘ’＋Ｉｐｄを電流Ｉｂ’と電流Ｉａ’とに分配してトランジスタＰ５，Ｐ６に通電し、分流された電流Ｉａ’と抵抗Ｒ２とで決定される電圧値を有する比較信号Ｓ５を制御信号生成回路１７の誤差増幅回路１９に出力する。
【００４９】
ここで、前述したように差電流Ｉｃｏｎｔ−Ｉｉｎとベース電流Ｉｉｎとの比が可変抵抗ＶＲ１で増減される参照信号Ｓ３の大きさで決定されることから、電流Ｉｂ’と電流Ｉａ’との分配比（換言すれば、電流Ｉａ’の大きさ）も参照信号Ｓ３の大きさで決定され、これにより、可変抵抗ＶＲ１で増減される参照信号Ｓ３の大きさで、比較信号変換回路１６での変換時の増幅率が決定されることになる。なお、目標信号変換回路１５での増幅率と比較信号変換回路１６の増幅率とがともに差電流Ｉｃｏｎｔ−Ｉｉｎとベース電流Ｉｉｎとの比で決定されることから、これらの増幅率は同一になる。
【００５０】
したがって、可変抵抗ＶＲ１の抵抗値と調整参照信号Ｓ６の電流値Ｉｒｅｆとの関係、可変抵抗ＶＲ１の抵抗値と目標信号変換回路１５及び比較信号変換回路１６での増幅率との関係を図示すると、図３に示すように、可変抵抗ＶＲ１の抵抗値が増大するにつれて、調整参照信号Ｓ６の電流値Ｉｒｅｆは直線的に減少し、一方、目標信号変換回路１５及び比較信号変換回路１６での増幅率は直線的に増大する。
【００５１】
このように、可変抵抗ＶＲ１の抵抗値を増大するにつれて、調整参照信号Ｓ６の電流値Ｉｒｅｆを直線的に減少させるとともに、目標信号変換回路１５及び比較信号変換回路１６での増幅率を直線的に増大させることによって、制御信号生成回路１７の誤差増幅回路１９に入力される目標信号Ｓ４や比較信号Ｓ５の電圧値をほぼ一定にすることができるので、誤差増幅回路１９に入力される目標信号Ｓ４及び比較信号Ｓ５の振幅が誤差増幅回路１９の入力ダイナミックレンジを超えてしまうおそれがなくなり、誤差増幅回路１９を常に良好に動作させることができ、これにより、光出力制御回路１３を安定して動作させることができて、光ピックアップ装置１の信頼性を向上させることができる。
【００５２】
また、光照射装置５と受光装置６と比較信号変換回路１６と制御信号生成回路１７とで形成されるループの実質的なゲインも一定に維持されることになるので、制御信号生成回路１７の周波数特性や位相特性も一定に維持することができ、制御信号生成回路１７から光照射装置５に制御信号Ｓ１を精度良く出力することができ、これによっても、光ピックアップ装置１の信頼性を向上させることができる。
【００５３】
また、図２に示す回路構成では、
Ｉａ＝Ｉｉｎ／（Ｉｃｏｎｔ−Ｉｉｎ＋Ｉｉｎ）・（Ｉｘ＋Ｉｒｅｆ）
と表され、Ｉｒｅｆ＝α・Ｉｃｏｎｔであるから、
Ｉａ＝Ｉｉｎ／Ｉｃｏｎｔ・（Ｉｘ＋α・Ｉｃｏｎｔ）
と表される。
【００５４】
そして、目標信号Ｓ４の電圧値をＶｓｔｄとすると、Ｖｓｔｄ＝Ｉａ・Ｒ１であるから、
Ｖｓｔｄ＝Ｒ１・Ｉｉｎ／Ｉｃｏｎｔ・（Ｉｘ＋α・Ｉｃｏｎｔ）
と表される。
【００５５】
ここで、可変抵抗ＶＲ１以外の光出力制御回路１３を同一半導体基板上に形成した場合を考えると、ベース電流Ｉｉｎを生成するベース電流生成回路２４の内部抵抗や抵抗Ｒ１は抵抗値が温度変動しやすく、また、抵抗値の個体差が大きいものになる。
【００５６】
しかしながら、ベース電流Ｉｉｎが内部抵抗の逆数に依存する電流であることから、Ｒ１・Ｉｉｎによって内部抵抗同士の温度変動や個体差が相殺され、結果的に、目標信号Ｓ４の電圧値が外部抵抗である可変抵抗ＶＲ１に依存し、内部抵抗には依存しないものとなる。
【００５７】
【発明の効果】
本発明は、以上に説明したような形態で実施され、以下に記載されるような効果を奏する。
【００５８】
すなわち、本発明によれば、参照信号増減回路による参照信号の増加又は減少に連動して目標信号変換回路及び比較信号変換回路での変換時の増幅率を減少又は増加するようにしているため、誤差増幅回路に入力される目標信号及び比較信号の振幅が誤差増幅回路の入力ダイナミックレンジを超えてしまうおそれがなくなり、誤差増幅回路を常に良好に動作させることができ、これにより、光出力制御回路を安定して動作させることができて、光ピックアップ装置の信頼性を向上させることができる。
【００５９】
また、光照射装置と受光装置と比較信号変換回路と制御信号生成回路とで形成されるループの実質的なゲインも一定に維持されることになるので、制御信号生成回路の周波数特性や位相特性も一定に維持することができ、制御信号生成回路から光照射装置に制御信号を精度良く出力することができ、これによっても、光ピックアップ装置の信頼性を向上させることができる。
【図面の簡単な説明】
【図１】本発明に係る光ピックアップ装置を示す説明図。
【図２】目標信号変換回路及び比較信号変換回路を示す説明図。
【図３】可変抵抗の抵抗値と調整参照信号の電流値、目標信号変換回路及び比較信号変換回路での増幅率との関係を示す説明図。
【図４】従来の光ピックアップ装置を示す説明図。
【符号の説明】
１  光ピックアップ装置
２  光学手段
３  制御手段
４  記録媒体
５  光照射装置
６  受光装置
７  レーザダイオード
１２  フォトダイオード
１３  光出力制御回路
１４  参照信号増減回路
１５  目標信号変換回路
１６  比較信号変換回路
１７  制御信号生成回路
１８  参照信号生成回路
１９  誤差増幅回路
２０  電圧電流変換回路
２１  出力回路
２２  参照信号調整回路
２３  増幅率制御回路
２４  ベース電流生成回路
２５  差電流生成回路
Ｓ１  制御信号
Ｓ２  電気信号
Ｓ３  参照信号
Ｓ４  目標信号
Ｓ５  比較信号
Ｓ６  調整参照信号
Ｓ７  調整信号
【図１】
2004234765.tif 000003
【図２】
2004234765.tif 000004
【図３】
2004234765.tif 000005
【図４】
2004234765.tif 000006